(57)【特許請求の範囲】
【請求項１】
バックボードが設けられるシャーシに、一側部がシャーシから露出し、他側部がバックボードに接続される状態で装着され、予め定める規格によって規定される寸法を有する本体ボードに入出力コネクタを設けるための構造であって、
本体ボードの一側部に、複数の入出力コネクタが設けられるとともに、取付パネルが着脱可能に設けられ、
本体ボードには、一対の接続コネクタを介して、接続解除可能にコネクタボードが接続され、
各接続コネクタは、一方の接続コネクタが本体ボードの他側部側に配置され、他方の接続コネクタが本体ボードの一側部側に配置され、相互に近接するように嵌合させて接続される構成であり、
各入出力コネクタのうち少なくとも一部の入出力コネクタは、コネクタボードに実装され、
前記少なくとも一部の入出力コネクタおよびコネクタボードは、前記少なくとも一部の入出力コネクタが取付パネルに挟持されることによって、取付パネルに固定され、
取付パネルは、コネクタボードに対して、本体ボードの一側部側に配置され、取付パネルとコネクタボードとは相互に当接されていることを特徴とするプリント基板の実装構造。
【発明の詳細な説明】
【０００１】
【発明の属する技術分野】
本発明は、予め定める寸法の本体ボードの一側部に複数の入出力コネクタを実装するプリント基板の実装構造に関する。
【０００２】
【従来の技術】
図１６は、従来の技術のプリント基板の実装構造を示す正面図である。従来の技術の実装構造の本体ボード１は、所定の規格に基づいて形成される機器のシャーシに装着される基板である。この本体ボード１は、カメラからの信号を処理する図示しない回路素子、およびカメラからの信号を入力し、処理された信号を出力する入出力コネクタ３ａ〜３ｆなどの複数の電子部品が実装され、各電子部品を接続するための導体パターンがプリントされている。この本体ボード１は、規定寸法の図示しないシャーシに、一側部２がシャーシから露出する状態で装着される。
【０００３】
各入出力コネクタ３ａ〜３ｆは、一側部２に実装され、各入出力コネクタ３ａ〜３ｆから画像信号および音声信号を含む信号を入力することができるとともに、入力された画像を処理して処理後の信号を外部に出力することができる。カラー撮像カメラと白黒撮像カメラとでは、撮像した画像を出力するための接続コネクタが異なるので、本体ボード１においてカラー画像および白黒画像の両方を処理するためには、カラー画像入力用のコネクタおよび白黒画像入力用のコネクタが実装されていなければならない。
【０００４】
図１７は、本体ボード１における入出力コネクタ３ａ〜３ｅの配置を説明するための図であって、図１７（１）は本体ボード１の斜視図であり、図１７（２）は本体ボード１の正面図である。また図１８（１）は、カラー画像の画像信号入力用のコネクタを示す正面図であり、図１８（２）は、白黒画像の画像信号入力用のコネクタを示す正面図である。本体ボード１の長手方向寸法Ｌ１および幅方向寸法Ｗ１は、シャーシの寸法に基づいて規定され、本体ボード１の一側部２に設けることができるコネクタ数が制限されてしまう。
【０００５】
このようにコネクタ数に制限を受けると、カラー撮像カメラからの信号および白黒撮像カメラからの信号を入力して処理し、処理後の信号を出力するために必要とされる入出力コネクタのすべてを、本体ボード１の一側部２に実装することができない場合がある。このような場合には、カラー撮像カメラからの信号を入力して処理し、処理後の信号を出力することができる入出力コネクタおよび処理回路が実装される本体ボードと、白黒撮像カメラからの信号を入力して処理し、処理後の信号を出力するために必要とされる入出力コネクタおよび処理回路が実装される本体ボードとを設けなければならず、仕様毎に本体ボードの構成を大きく変更しなければならなくなってしまう。
【０００６】
この不具合を解消するために、図１６に示す実装構造では、カラー画像および白黒画像の両方を処理可能な回路素子を実装するとともに、カラー撮像カメラに関連する入出力コネクタ３ａ〜３ｆが一側部２に実装される。さらに各入出力コネクタ３ａ〜３ｄのうちのカラー画像信号を入力するコネクタ３ｆに、白黒画像信号を入力するコネクタ４ａ〜４ｄを設けたアダプタ５を接続可能に構成している。
【０００７】
具体的に述べると、各入出力コネクタ３ａ〜３ｆのうち、音声信号を入力するコネクタおよび処理後の信号を出力するコネクタを含む各入出力コネクタ３ａ〜３ｅは、白黒撮像カメラに関連する音声信号の入力および処理後の信号の出力に共通に用いることが可能であり、白黒撮像カメラに関連する入出力コネクタとして用いることができない画像入力用のコネクタ４ａ〜４ｄだけを変換アダプタ５によって着脱可能に接続できるようにしている。これによって図１７に示すようにカラー撮像カメラと白黒カメラとにおいて共通に用いることができる入出力コネクタ３ａ〜３ｅを実装して残った一側部２の領域Ｓ１に、カラー画像入力用のコネクタ３ｆと白黒画像入力用のコネクタ４ａ〜４ｄを選択的に設けることができる。このようにして、本体ボード１全体の構成を大きく変更することなく、一部を変更するだけで、カラー撮像カメラおよび白黒撮像カメラに対応できるようにしている。
【０００８】
【発明が解決しようとする課題】
従来の技術の本体ボード１では、変換アダプタ５は、本体ボード１の一側部２に実装されるコネクタ３ｆに接続して設けられ、変換アダプタ５とコネクタ３ｆとの接続部は、本体ボード１が装着されるシャーシの外部に配置されてしまう。したがって変換アダプタ５とコネクタ３ｆとの接続状態が、外的要因、たとえば物品の衝突などの影響を受けて変化しやすく、高い信頼性を確保することができない。また変換アダプタ５を必要とすることによって製造コストが高くなってしまう。
【０００９】
また他の従来の技術である特公昭５９−１４４のプリント基板の実装構造では、上述の本体ボード１に相当するボードを１つのマザーボードと、このマザーボードに接続される複数のサブボードとに分割している。各サブボードは、機能モジュール毎に分割され、機能拡張および故障時の交換を容易にしている。この実装構造では、カラー撮像カメラに対応するボードと白黒カメラに対応するボードとを得るためには、各サブボードの少なくともいずれか１つを変更して、マザーボードおよび各サブボードからなるボードの構成を大きく変更しなければならない。したがって本体ボードの構成を大きく変更することなく、仕様の異なる他のボードに、すなわちカラー撮像カメラに対応するボードから白黒撮像カメラに対応するボードに変更することができない。
【００１０】
本発明の目的は、本体ボードの構成を大きく変更することなく、仕様の異なるボードに容易に変更することができるプリント基板の実装構造。
【００１１】
【課題を解決するための手段】
請求項１記載の本発明は、バックボードが設けられるシャーシに、一側部がシャーシから露出し、他側部がバックボードに接続される状態で装着され、予め定める規格によって規定される寸法を有する本体ボードに入出力コネクタを設けるための構造であって、
本体ボードの一側部に、複数の入出力コネクタが設けられるとともに、取付パネルが着脱可能に設けられ、
本体ボードには、一対の接続コネクタを介して、接続解除可能にコネクタボードが接続され、
各接続コネクタは、一方の接続コネクタが本体ボードの他側部側に配置され、他方の接続コネクタが本体ボードの一側部側に配置され、相互に近接するように嵌合させて接続される構成であり、
各入出力コネクタのうち少なくとも一部の入出力コネクタは、コネクタボードに実装され、
前記少なくとも一部の入出力コネクタおよびコネクタボードは、前記少なくとも一部の入出力コネクタが取付パネルに挟持されることによって、取付パネルに固定され、
取付パネルは、コネクタボードに対して、本体ボードの一側部側に配置され、取付パネルとコネクタボードとは相互に当接されていることを特徴とするプリント基板の実装構造である。
【００１２】
本発明に従えば、本体ボードの一側部に設けられる複数の入出力コネクタのうち、少なくとも一部の入出力コネクタはコネクタボードに実装される。このコネクタボードは、一対の接続コネクタを介して接続解除可能にプリント基板に接続されている。これによってコネクタボードを本体ボードから接続解除することによって、コネクタボードに実装される少なくとも一部の入出力コネクタを本体ボードから容易に離脱することができ、この少なくとも一部の入出力コネクタは、容易に交換することができる。したがって異なる構成の入出力コネクタが実装される複数のコネクタボードを準備しておくことによって、本体ボードの構成を大きく変更することなく、実装される入出力コネクタを容易に変更することができる。また接続コネクタは、本体ボードの厚み方向に垂直な平面に投影したときに、本体ボードの領域内に設けることができ、この接続コネクタが外部に露出することを防止して、接続コネクタの接続状態の信頼性を高くすることができる。
【００１３】
またコネクタボードおよびそのコネクタボードに実装される入出力コネクタは、前記コネクタボードに実装される入出力コネクタが取付パネルに挟持されることによって、取付パネルに固定される。これによってコネクタボードに実装される入出力コネクタの信頼性を高くすることができる。
【００１４】
さらに本体ボードとコネクタボードとを接続する一対の接続コネクタは、本体ボードの他側部側に設けられる一方の接続コネクタと、本体ボードの一側部側に設けられる他方の接続コネクタとを、相互に近接させるように嵌合させて接続されるコネクタであり、簡素な構成とすることができる。またコネクタボードに対して本体ボードの一側部側に取付パネルが設けられて、相互に当接されている。これによって本体ボードの他側部から一側部に向かう方向へのコネクタボードの変位が、取付ぱねるによって阻止される。このような構成にすることによって、簡素な構成の接続コネクタを用いても、コネクタボードおよびそれに実装される入出力コネクタが取付パネルに固定されるので、コネクタボードに実装される入出力コネクタに外部コネクタを着脱するときの外力が、各接続コネクタに伝達されることを防ぐことができ、各接続コネクタの接続状態が変化することを防ぐことができる。特に、入出力コネクタに対する外部コネクタの接続を解除しようとするときに、コネクタボードが変位することを取付パネルによって阻止して、接続コネクタの接続状態の悪化と確実に防止することができる。
【００１５】
【発明の実施の形態】
図１は本発明の実施の一形態であるプリント基板の実装構造に実装されるプリント基板１０を示す正面図であり、図２はプリント基板１０を示す斜視図である。プリント基板１０は、本体ボード１１と、コネクタボード１２と、複数の入出力コネクタ１３ａ〜１３ｉと、接続コネクタ１４ａ，１４ｂと、バックボード用コネクタ１５ａ，１５ｂと、取付パネル１６とを含む。本体ボード１１は、予め定める規定寸法を有するボードであって、厚み方向（図１の紙面に垂直な方向）に長手方向（図１の上下方向）の寸法Ｌ１および厚み方向および長手方向に垂直な幅方向（図１の左右方向）の寸法Ｌ２が規定される。この本体ボード１１の幅方向の一側部１７に、各入出力コネクタ１３ａ〜１３ｉが設けられ、これら入出力コネクタ１３ａ〜１３ｉのうち少なくとも一部、本実施の形態では全ての入出力コネクタ１３ａ〜１３ｉは、コネクタボード１２に実装される。コネクタボード１２は、各接続コネクタ１４ａ，１４ｂを介して接続解除可能に本体ボード１１に接続される。
【００１６】
本体ボード１１は、矩形板状であって、所定の信号処理、たとえばカメラによる撮像画像の信号を、撮像画像を加工した画像の信号に変換処理するための図示しない回路素子が実装される。また本体ボード１１には、一側部１７でありかつ長手方向の一端部２０および他端部２１の間の中間部（他端部寄り）に一方の接続コネクタ１４ａが実装され、幅方向の他側部１８に各バックボード用コネクタ１５ａ，１５ｂが実装される。さらに本体ボード１１には、図示しない導体パターンがプリントされて、前記回路素子および各コネクタ１４ａ，１５ａ，１５ｂを含む本体ボード１１に実装される電子部品が相互に電気的に接続される。
【００１７】
コネクタボード１２は、本体ボード１１の長手方向寸法よりも少し小さくほぼ同一の長手方向寸法を有する長手板状であって、厚み方向一方側に各入出力コネクタ１３ａ〜１３ｉが実装され、厚み方向他方側に他方の接続コネクタ１４ｂが実装される。このコネクタボード１２には、図示しない導体パターンがプリントされて、前記各コネクタ１３ａ〜１３ｉ，１４ｂを含むコネクタボード１２に実装される電子部品が相互に電気的に接続される。
【００１８】
各入出力コネクタ１３ａ〜１３ｉは、カメラなどの機器に電気的に接続されるケーブルなどの図示しないコネクタ部と、機械的および電気的に接続解除可能に接続することができ、機器からの信号の入力および機器への信号の出力の少なくともいずれか一方の動作をすることができる。各接続コネクタ１４ａ，１４ｂは、着脱可能にかつ電気的に接続することができる。バックボード用コネクタ１５ａ，１５ｂは、別途に設けられるバックボードのコネクタに電気的に接続可能である。
【００１９】
取付パネル１６は、たとえば金属製であって、本体ボード１１の長手方向寸法よりも少し大きくほぼ同一の寸法を有する長手板状の部材である。取付パネル１６の長手方向両端部には、取付金具１９ａ，１９ｂがそれぞれ固定されており、これら取付金具１９ａ，１９ｂが、本体ボード１１の一側部１７に長手方向の両端部２０，２１で固定され、取付パネル１６が本体ボード１１の一側部１７に長手方向に沿って固定される。この取付パネル１６には、各入出力コネクタ１３ａ〜１３ｉに対応する複数の取付孔３５ａ〜３５ｉが形成されており、各取付孔に各入出力コネクタ１３ａ〜１３ｉを嵌合した状態で、取付孔に臨む周縁部によって各入出力コネクタ１３ａ〜１３ｉが保持される。
【００２０】
取付パネル１６に対して他側部１８側にコネクタボード１２が本体ボード１１の長手方向に沿って設けられ、各入出力コネクタ１３ａ〜１３ｉが取付孔を挿通して取付パネル１６から突出するように配置される。このようにして各入出力コネクタ１３ａ〜１３ｉが本体ボード１１の一側部１７に長手方向に沿って並べて設けられる。この状態でコネクタボード１２に実装される他方の接続コネクタ１４ｂが、本体ボード１１に実装される一方の接続コネクタ１４ａに機械的および電気的に接続される。
【００２１】
図３は、図１に示す実装構造のプリント基板１０の組立手順を説明するための図である。図３（１）はコネクタボード１２および取付パネル１６を相互に分解した状態で示す正面図であり、図３（２）はコネクタボード１２および取付パネル１６を相互に組立てた構成体２３を示す正面図であり、図３（３）は組立体２３および本体ボード１１を分解した状態で示す正面図である。上述のプリント基板の実装構造を組立てるにあたっては、上述の処理回路およびコネクタ１４ａ，１５ａ，１５ｂを含む電子部品が実装された本体ボード１１と、各コネクタ１３ａ〜１３ｉ，１４ｂが実装されたコネクタボード１２と、取付金具１９ａ，１９ｂが固定された取付パネル１６とが準備される。
【００２２】
まず図３（１）に示すように、上記準備されたコネクタボード１２と取付パネル１６と用い、各入出力コネクタ１３ａ〜１３ｉを各取付孔にいわば締りばめの状態で挿通させて、取付パネル１６の取付孔に臨む周縁部で各入出力コネクタ１３ａ〜１３ｉを弾発的に挟持させ、取付パネル１６に各コネクタ１３ａ〜１３ｉ，１４ｂおよびコネクタボード１２を固定する。換言すれば、各取付金具１９ａ，１９ｂが固定された取付パネル１６に、各コネクタ１３ａ〜１３ｉ，１４ｂが実装されたコネクタボード１２が固定されて、図３（２）に示す構成体２３が組立てられる。次に各取付金具１９ａ，１９ｂを本体ボード１１に、たとえばねじ部材を用いて固定することによって、構成体２３を本体ボード１１の一側部１７に固定する。このようにして図１に示されるプリント基板１０が組立てられる。
【００２３】
このようなプリント基板１０は、各入出力コネクタ１３ａ〜１３ｉに、カメラなどの機器からのケーブルを接続し、入力される信号を本体ボード上の処理回路で処理し、各入出力コネクタ１３ａ〜１３ｉから処理後の信号およびその他の信号を出力することができる。
【００２４】
図４は本体ボード１１を示す図であり、図４（１）は図１の上方から見た状態となる平面図であり、図４（２）は図４（１）の下方から見た正面図である。図５は取付パネル１６を示す図であり、図５（１）は図１の左方から見た状態となる側面図であり、図５（２）は図５（１）の右方から見た正面図であり、図５（３）は図５（２）の右方から見た側面図である。図６はプリント基板１０が装着されるシャーシ２５を示す斜視図である。図４〜図６には、各コネクタ１３ａ〜１３ｉ，１４ａ，１４ｂなどを省略し、また取付孔を省略して示す。プリント基板１０の本体ボード１１は、予め定める規格、たとえばバーサモジュールヨーロッパ（Varsa Module Europe、略称：ＶＭＥ）規格によって規定されるボードであり、このＶＭＥ規格によって規定されるシャーシ２５に装着される。
【００２５】
図４に示されるように、２つのコネクタが設けられたボードが、ＶＭＥ規格でダブルハイトＶＭＥボードと呼ばれるＶＭＥボードの１つであり、本体ボード１１は、各バックボード用コネクタ１５ａ，１５ｂが実装されるように、規定される。各バックボード用コネクタ１５ａ，１５ｂは、たとえば９６ｐｉｎコネクタである。このように本体ボード１１は、ＶＭＥ規格によって規定され、たとえば、上記長手方向寸法Ｌ１は２３３．３５ｍｍであり、幅方向寸法Ｌ２は１６０ｍｍであり、また厚みＴ１は１．６ｍｍである。
【００２６】
また本体ボード１１には、厚み方向一方側（図１および図４において紙面の手前側）に電子部品が実装されるけれども、この電子部品を実装可能な領域も、厚み方向に規定される。具体的には、本体ボード表面からの部品の高さが３．９７ｍｍ（０．５５ｉｎｃｈ）以内までと規定されている。また本体ボード１１には、各取付金具１９ａ，１９ｂを固定するための領域が確保され、各取付金具１９ａ，１９ｂはたとえばねじ部材によって本体ボード１１に固定できるように構成される。また本体ボード１１には、電子部品の配置を決定しやすくするために、たとえば２．５４ｍｍ（０．１ｉｎｃｈ）間隔のグリッドパターンが描かれていてもよい。
【００２７】
図５に示されるように、取付パネル１６は、長手矩形状であって、たとえば、長手方向寸法Ｌ３が２６１．８５ｍｍに規定され、幅方向寸法Ｌ４が２０．３２ｍｍに規定され、厚みＴ２が２．５ｍｍに規定される。このような取付パネル１６は、厚み方向一方側において、長手方向両端部および中央部に取付金具の固定領域２９ａ〜２９ｃが確保されており、本実施の形態では、長手方向両端部の領域２９ａ，２９ｂに，各固定金具１９ａ，１９ｂがたとえば本体ボード１１の厚み方向に挿通されるねじ部材によって固定され、各取付金具１９ａ，１９ｂによって取付パネル１６が本体ボード１１に固定される。したがって取付パネル１６は、厚み方向一方側が本体ボード１１に臨んでいる。
【００２８】
この取付パネル１６には、厚み方向他方側において、各取付金具１９ａ，１９ｂが固定される領域２９ａ，２９ｂに対応する領域に、プリント基板１０を取扱うときに把持するためのつまみ３０ａ，３０ｂがたとえばねじ部材によって固定される。また取付パネル１６には、厚み方向一方側に、本体ボード１１と同様にグリッドパターンが描かれていてもよい。
【００２９】
図６に示されるように、シャーシ２５は、複数の構成部材によって略直方体状に枠組みされて構成されている。このシャーシ２５は、正面部を略水平な方向に臨ませて配置されてもよく、また他の向きに配置されてもよいけれども、本実施の形態では、正面部が略水平な方向に向くように配置される。このシャーシ２５は、正面部が開放され、反対側の背後部にバックボード２６が設けられる。
【００３０】
シャーシ２５は、正面部および背後部とは異なる一対の側部である上部および下部に、正面部から背後部に延びる複数のカードラック２７を有し、各カードラック２７のうちの上下に対向して対を成す２つのカードラック２７に、本体ボード１１の長手方向両端部２０，２１が嵌まり込む状態で、プリント基板１０がシャーシ２５に装着される。この状態で、プリント基板１０の本体ボード１１は、一端部２０が下方側に、他端部２１が上方側に、一側部１７が正面側に、他側部１８が背後側に配置される。また本体ボード１１のフロントエッジとなる一側部１７に固定される取付パネル１６は、シャーシ２５が露出し、本体ボード１１のバックエッジとなる他側部１８に設けられる各バックボード用コネクタ１５ａ，１５ｂは、バックボード２６に設けられるコネクタに電気的に接続される。
【００３１】
図７はバックボード２６の一部を示す図であり、図７（１）は正面側から見た斜視図であり、図７（２）は背後側から見た斜視図である。バックプレーンと呼ばれるバック２６は、シャーシ２５のカードラック２７に対応する位置に、複数の本体ボード用コネクタ３１が実装されている。各本体ボード用コネクタ３１は、相互に電気的に接続されているとともに、バスターミネータ３２を介して、他の機器などに電気的に接続されている。
【００３２】
プリント基板１０がシャーシ２５に装着された状態で、各バックボード用コネクタ１５ａ，１５ｂは、バックボード２６に設けられる各本体ボード用コネクタ３１の１つにそれぞれ電気的に接続される。このようにシャーシ２５に装着されて、プリント基板１０は、シャーシ２５に装着される他の基板および他の機器と通信し、必要に応じて他の基板および機器からの情報に基づいて、各入出力コネクタ１３ａ〜１３ｉを選択的に用いて入力される信号を処理し、処理後の信号を各入出力コネクタ１３ａ〜１３ｉを選択的に用いて出力することができる。
【００３３】
このようにプリント基板１０は、たとえば上述のＶＭＥ規格によって規定され、シャーシ２５に装着される構成であって、シャーシ２５に装着された状態で、本体ボード１１は、シャーシ２５の正面部に位置する一側部１７だけにしか入出力コネクタを設けることができない。さらに本体ボード１１の一側部１７の寸法、すなわち長手方向寸法Ｌ１が、規格によって規定され、かつ本体ボード１１の厚み方向の電子部品の配置可能領域が規定される。これによってプリント基板１０では、設けることができる入出力コネクタ１３ａ〜１３ｉの個数が制限されてしまう。
【００３４】
図８はプリント基板１０およびこれに類似する他のプリント基板１０Ａを示す図であり、図８（１）はプリント基板１０を分解して示す斜視図であり、図８（２）は他のプリント基板１０Ａを分解して示す斜視図である。上述のように規定寸法を有するために、入出力コネクタの個数が制限されるプリント基板は、各入出力コネクタ１３ａ〜１３ｉが、本体ボード１１に直接実装されずに、コネクタボード１２に実装され、コネクタボード１２が各接続コネクタ１４ａ，１４ｂによって本体ボード１１に接続される。このような構成によって、コネクタボード１２と取付パネル１６とを組立てた構成体２３を、本体ボード１１から取外し、各入出力コネクタ１３ａ〜１３ｉとは異なるすくなくとも1つ、たとえば図８（２）のように入出力コネクタ３３が実装されるコネクタボード１２Ａと、これに対応する取付パネル１６Ａとを組立てた構成体２３Ａを、本体ボード１１に設けることによって、プリント基板１０を、備える入出力コネクタの異なる他のプリント基板１０Ａに容易に変更することができる。
【００３５】
プリント基板１０Ａの構成体２３Ａは、構成体２３の各入出力コネクタ１３ｆ〜１３ｉに代えて、入出力コネクタ３３がコネクタボード１２Ａに実装されて設けられ、取付けパネル１６Ａは、各入出力コネクタ１３ａ〜１３ｅ，３３が嵌まり込む取付孔が形成され、取付孔に臨む周縁部で各入出力コネクタ１３ａ〜１３ｅ，３３を弾発的に挟持している。他の構成は同様である。したがって各入出力コネクタ１３ａ〜１３ｅは、共通に用いられる。本体ボード１１には、共通に用いられる各入出力コネクタ１３ａ〜１３ｅおよび非共通の各入出力コネクタ１３ｆ〜１３ｉ，３３から入力される信号の処理および／または各入出力コネクタ１３ａ〜１３ｉ，３３からの信号の出力が可能である処理回路が実装されている。処理回路は、本体ボード１１の一側だけでなく、全領域にわたって設けることが可能であり、各入出力コネクタ１３ａ〜１３ｉ，３３からの信号の処理および／または各入出力コネクタ１３ａ〜１３ｉ，３３からの信号の出力が可能な処理回路を容易に実装することができ、本体ボード１１は各構成体２３，２３Ａに対して共通に用いることが可能である。
【００３６】
したがって本体ボード１１の構成を変更することなく、構成体２３を他の構成体２３Ａに変更して、プリント基板１０を、他のプリント基板１０Ａに容易に変更することができる。またこのような実装構造では、入出力コネクタが実装されるコネクタボードおよび取付けパネル１６から成る構成体を複数種類形成すれば、本体ボードが１種類であっても、複数種類、したがって複数仕様のプリント基板を得ることができ、製造が容易になる。
【００３７】
具体的に述べると、プリント基板１０の本体ボード１１には、カラー画像および白黒画像の両方を上述のように処理可能な処理回路が実装される。各入出力コネクタ１３ａ〜１３ｉは、４台の白黒カメラ４５に対応して上述のような入力および出力をすることができる組合せであり、各入出力コネクタ１３ａ〜１３ｅ，３３は、カラーカメラ４６に対応して上述のような入力および出力をすることができる組合せである。上述の寸法規定によって、各入出力コネクタ１３ａ〜１３ｉ，３３を、全て１つのプリント基板に設けることができなくても、構成体２３，２３Ａだけを変更して、白黒カメラに対応するプリント基板１０を、カラーカメラに対応するプリント基板１０Ａに容易に変更、したがって容易に仕様変更をすることができ、利便性が向上される。
【００３８】
本実施の形態の実装構造によれば、プリント基板１０，１０Ａの一側部１７に設けられる各入出力コネクタ１３ａ〜１３ｉ，３３はコネクタボード１２，１２Ａに実装される。これらコネクタボード１２，１２Ａは、接続コネクタ１４ａ，１４ｂを介して接続解除可能に本体ボード１１に接続されている。したがって異なる構成の入出力コネクタが実装される複数のコネクタボード１２，１２Ａを準備しておくことによって、本体ボード１１の構成を大きく変更することなく、実装される入出力コネクタ１３ａ〜１３ｉ，３３を容易に変更することができる。また接続コネクタ１４ａ，１４ｂは、本体ボードの厚み方向に垂直な平面に投影したときに、本体ボード１１の領域内に配置することができ、当然プリント基板１０，１０Ａがシャーシ２５に装着された状態で、シャーシ２５の外部に露出することが防がれ、各接続コネクタ１４ａ，１４ｂの接続状態の信頼性を高くすることができる。
【００３９】
また各入出力コネクタ１３ａ〜１３ｉが取付パネルによって弾発的に挟持されて保持されているので、各入出力コネクタ１３ａ〜１３ｉに対するケーブルなどの着脱（接続および接続解除）をするときに、その作業が容易になるだけでなく、コネクタボード１２および各接続コネクタ１４ａ，１４ｂに外力が作用することを防ぐことができる。特に各接続コネクタ１４ａ，１４ｂへの外力の作用を防止することによって、各入出力コネクタ１３ａ〜１３ｉへのケーブルなどの着脱作業によって、各接続コネクタ１４ａ，１４ｂの接続状態が変化してしまうことが確実に防がれる。さらに構成を簡素にするために、各接続コネクタ１４ａ，１４ｂは、本体ボード１１の他側部１８側の一方の接続コネクタ１４ａと、一側部側１７の接続コネクタ１４ｂとを相互に近接させるように嵌合させて接続されているけれども、コネクタボード１２と取付パネル１６が相互に当接されており、各入出力コネクタ１３ａ〜１３ｉからケーブルなどを接続解除するときに、コネクタボード１２，１２Ａが取付パネル１６，１６Ａによって変位阻止されるので、各接続コネクタ１４ａ，１４ｂの接続状態が悪化、換言すれば接続解除状態に近づくような変化が防止される。
【００４０】
図９は本発明の実施の他の形態であるプリント基板の実装構造に実装されるプリント基板５０を分解して示す正面図であり、図１０はプリント基板５０を分解して示す斜視図である。本実施の形態において、図１〜図８に示す実施の形態と同様の構成を有する部分は、同一の参照符を付して説明を省略する。プリント基板５０は、本体ボード１１と、コネクタボード５２と、複数の入出力コネクタ５３ａ〜５３ｆと、各接続コネクタ１４ａ，１４ｂと、各バックボードコネクタ１５ａ，１５ｂと、取付パネル５６とを含む。プリント基板５０は、上述の各プリント基板１０，１０Ａと同様に、シャーシ２５に装着可能なプリント基板である。このプリント基板５０もまた、本体ボード１１に、カメラによる画像を処理する処理回路およびコネクタ１４ａ，１５ａ，１５ｂなどが同様に実装されている。
【００４１】
プリント基板５０では、本体ボード１１の一側部１７に設けられるコネクタボード５２は、本体ボード１１の長手方向寸法寸法の約４分の１程度の長手方向寸法を有している。このコネクタボード５２には、厚み方向一方側に各入出力コネクタ５３ａ〜５３ｆのうちの２つの入出力コネクタ５３ｅ，５３ｆが実装され、厚み方向他方側に他方の接続コネクタ１４ｂが実装される。このコネクタボード５２には、図示しない導体パターンがプリントされて、前記各コネクタ５３ｅ，５３ｆを含むコネクタボード５２に実装される電子部品が相互に電気的に接続される。
【００４２】
各入出力コネクタ５３ａ〜５３ｆは、カメラなどの機器に電気的に接続されるケーブルなどの図示しないコネクタ部と、機械的および電気的に接続解除可能に接続することができ、機器からの信号の入力および機器への信号の出力の少なくともいずれか一方をすることができる。本実施の形態では、一部の入出力コネクタ５３ｅ，５３ｆがコネクタボード１２に実装され、残余の入出力コネクタ５３ａ〜５３ｄが本体ボード１１に直接実装されている。この本体ボード１１に直接実装される入出力コネクタ５３ａ〜５３ｄは、本体ボード１１の導体パターンによって他の電子部品と電気的に接続されている。
【００４３】
本実施の形態の取付パネル５６は、上述の各取付けパネル１６，１６Ａとほぼ同様の構成であり、異なる点は、各入出力コネクタ５３ａ〜５３ｆに対応する形状の取付孔５９ａ〜５９ｆが形成される点である。各取付孔５９ａ〜５９ｆに各入出力コネクタ５３ａ〜５３ｆを嵌合した状態で、取付孔に臨む周縁部によって各入出力コネクタ５３ａ〜５３ｆが保持される。
【００４４】
取付パネル５６に対して他側部１８側にコネクタボード５２が設けられ、コネクタボード１２に実装される入出力コネクタ５３ｅ，５３ｆだけでなく、本体ボード１１に実装される各入出力コネクタ５３ａ〜５３ｄも、取付孔を挿通して取付パネル５６から突出する状態で、取付パネル５６に保持される。このようにして各入出力コネクタ５３ａ〜５３ｆが本体ボード１１の一側部１７に長手方向に沿って並べて設けられる。この状態でコネクタボード５２に実装される他方の接続コネクタ１４ｂが、本体ボード１１に実装される一方の接続コネクタ１４ａに機械的および電気的に接続される。
【００４５】
図１１はプリント基板５０に類似する他のプリント基板５０Ａを分解して示す正面図であり、図１２はプリント基板５０Ａを分解して示す斜視図である。プリント基５０Ａは、プリント基板５０の構成体６０を構成体６０Ａに変更した構成である。構成体６０は、各コネクタ５３ｅ，５３ｆ，１４ｂが実装されたコネクタボード５２と取付パネル５６とを組立て構成される。構成体６０Ａは、各コネクタ６１ａ〜６１ｄ，１４ｂが実装されたコネクタボード５２Ａが、取付パネル５６Ａに本体ボード１１側に配置されて組立てられて構成される。このように構成体６０Ａでは、コネクタボード５２Ａは、各入出力コネクタ５３ｅ，５３ｆに代えて各入出力コネクタ６１ａ〜６１ｄが実装され、取付パネル５６Ａには、各取付孔５９ｅ，５９ｆに代えて取付孔６３ａ〜６３ｄが形成される。このような構成体６０Ａでも、各入出力コネクタ５３ａ〜５３ｄ，６１ａ〜６１ｄは、取付パネル５６Ａの取付孔に臨む周縁部で弾発的に挟持されて保持されている。この状態で、コネクタボード５２Ａと取付パネル５６Ａとは相互に当接した状態で設けられる。
【００４６】
図１３は各プリント基板５０，５０Ａを示す図であり、図１３（１）はプリント基板５０を分解して示す斜視図であり、図１３（２）は他のプリント基板５０Ａを分解して示す斜視図である。本実施の形態では、プリント基板５０は、各入出力コネクタ５３ａ〜５３ｆのうちの一部の入出力コネクタ１３ｅ、１３ｆがコネクタボード５２に実装され、コネクタボード５２が各接続コネクタ１４ａ，１４ｂによって本体ボード１１に接続される。このような構成によって、コネクタボード５２と取付パネル５６とを組立てた構成体６０を、本体ボード１１から取外し、各入出力コネクタ５３ａ〜５３ｆとは異なる少なくとも1つ、たとえば図１３（２）のように入出力コネクタ６１ａ〜６１ｄが実装されるコネクタボード５２Ａと、これに対応する取付パネル５６Ａとを組立てた構成体６０Ａを、本体ボード１１に設けることによって、プリント基板５０を、備える入出力コネクタの異なる他のプリント基板５０Ａに容易に変更することができる。
【００４７】
本体ボード１１には、共通に用いられる各入出力コネクタ５３ａ〜５３ｄおよび非共通の各入出力コネクタ５３ｅ，５３ｆ，６１ａ〜６１ｄからされる信号の処理および／または各入出力コネクタ５３ａ〜５３ｆ，６１ａ〜６１ｄからの信号の出力が可能である処理回路が実装されている。処理回路は、本体ボード１１の一側部だけでなく、全領域にわたって設けることが可能であり、容易に実装することができ、本体ボード１１は各構成体２３，２３Ａに対して共通に用いることが可能である。
【００４８】
したがって本実施の形態においても、上述の実施の形態と同様に、本体ボード１１の構成を変更することなく、構成体６０を他の構成体６０Ａに変更して、プリント基板５０を、他のプリント基板５０Ａに容易に変更することができる。また同様に、複数種類の構成体を準備すれば、本体ボードが１種類であっても、複数種類、したがって複数仕様のプリント基板を得ることができ、製造が容易になる。
【００４９】
また各プリント基板５０，５０Ａも、本体ボード１１には、カラー画像および白黒画像の両方を上述のように処理可能な処理回路が実装される。各入出力コネクタ５３ａ〜５３ｆは、カラーカメラ６５に対応した組合せであり、各入出力コネクタ１３ａ〜１３ｅ，３３は、４台の白黒カメラ６６に対応した組合せである。したがってカラーカメラ６５に対応するプリント基板５０を、４台の白黒カメラ６６に対応するプリント基板５０Ａに容易に変更、したがって容易に仕様変更をすることができる。
【００５０】
このような実施の形態でも、上述の実施の形態と同様の効果を達成することができる。しかも本実施の形態では、各プリント基板５０，５０Ａで共通に用いる入出力コネクタ５３ａ〜５３ｄは、本体ボード１１に直接実装されるので、構成の変更をさらに容易にすることができる。またコネクタボード５２，５２Ａに実装される入出力コネクタ５３ｅ，５３ｆ，６１ａ〜６１ｄが取付パネル５６，５６Ａに固定され、しっかりと固定されて、信頼性を高くすることができるだけでなく、残余の入出力コネクタ５３ａ〜５３ｄは、本体ボード１１に実装されるので、しっかりと固定することができる。さらにこの本体ボード１１に実装されるコネクタも、取付パネル５６，５６Ａによって弾発的に挟持されるので、これら各入出力コネクタ５３ａ〜５３ｄの取付などに関する信頼性も高くすることができる。
【００５１】
図１４は本発明の実施の他の形態の実装構造に用いることができる本体ボード７０を示す図であり、図１４（１）は平面図であり、図１４（２）は図１４（１）の下方から見た正面図である。図１５は本体ボード７０に取付けられる取付パネル７１を示す図であり、図１５（１）は側面図であり、図１５（２）は図１５（１）の右方から見た正面図であり、図１５（３）は図１５（２）の右方から見た側面図である。上述の実施の形態と同様の構成を有する部分は、同一の符号を付す。本発明の実施のさらに他の形態として、本体ボード７０および取付パネル７１は、ＶＭＥ規格で規定されるシングルハイトボードであってもよい。この本体ボード７０および取付パネル７１を含んで構成されるプリント基板６５もまた、図６に示すように、上述のシャーシ２５に装着される。
【００５２】
図１４に示されるように、１つのコネクタが設けられたボードが、ＶＭＥ規格でシングルハイトＶＭＥボードと呼ばれるＶＭＥボードの１つであり、本体ボード７０は、各バックボード用コネクタ１５ａが実装されるように、規定される。このように本体ボード７０は、ＶＭＥ規格によって規定され、このボードの幅方向の寸法が上述の本体ボード１１の半分程度の寸法とされる。すなわち本体ボード７０は、本体ボード１１を長手方向中央部で２つに分割したボードとほぼ同程度の寸法を有し、この本体ボード７０の長手方向一端部となる一側部７７に図示しない入出力コネクタを設け、反対側の他側部７８にバックボード用コネクタ１５ａが設けられる。このように本体ボード７０は、寸法が小さくなることを除いて本体ボード１１と同様の構成を有する。図５に示されるように、取付パネル７１は、本体ボード７０に対応して長手方向寸法が約半分に成る。その他の構成は、ほぼ同様である。このような本体ボード７０および取付パネル７１を含むプリント基板７５であっても上述の形態と同様の実装構造にすることによって、同様の効果を達成することができる。
【００５３】
上述の各実施の形態は、本発明の例に過ぎず、構成を変更することができる。たとえば、図１〜図１３に示す形態において、取付パネル１６，１６Ａ，５６，５６Ａには、図５に示すような長手方向中央部の領域２９ｃに取付金具を追加して固定し、この取付金具によってさらに本体ボードに固定するようにしてもよいし、さらに長手方向中央部の領域２９ｃに対応する位置につまみを追加して設けるようにしてもよい。また各入出力コネクタは、取付パネルの取付孔の周縁部で弾発的に挟持される構成としたけれども、本発明の実施の他の形態として、各入出力コネクタをねじ部材を用いて取付パネルに固定するようにしてもよい。またプリント基板は、カメラによる画像を処理するプリント基板に限らず、他の信号処理をするためのプリント基板であってもよい。またＶＭＥ規格によって規定されるプリント基板に限らず、他の規格およびその他の理由によって寸法が規定される本体ボードを含むプリント基板であってもよい。
【００５４】
【発明の効果】
請求項１記載の本発明によれば、実装される入出力コネクタを容易に変更することができるので、実装可能な入出力コネクタの数が制限を受ける規定寸法の本体ボードを供えるプリント基板に対し、このプリント基板の使用状態に応じて必要な入出力コネクタが設けられるように、プリント基板の仕様を容易に変更することができ、利便性が向上される。
【００５５】
また接続コネクタを単素な構成とすることができ、しかもその接続コネクタに、コネクタボードに実装される入出力コネクタに外部コネクタを着脱するとき、特に入出力コネクタと外部コネクタとの接続を解除するときの外力が伝達されることを防ぎ、接続コネクタの接続状態の信頼性をさらに高くすることができる。このように簡素な構成で接続コネクタを実現したうえで、その接続コネクタの信頼性を高くすることができる。
【図面の簡単な説明】
【図１】本発明の実施の一形態であるプリント基板の実装構造に実装されるプリント基板１０を示す正面図である。
【図２】プリント基板１０を示す斜視図である。
【図３】プリント基板１０の組立手順を説明するための図である。
【図４】本体ボード１１を示す図である。
【図５】取付パネル１６を示す図である。
【図６】シャーシ２５を示す斜視図である。
【図７】バックボード２６を示す斜視図である。
【図８】プリント基板１０およびこれに類似するプリント基板１０Ａを分解して示す斜視図である。
【図９】本発明の実施の他の形態であるプリント基板の実装構造に実装されるプリント基板５０を示す正面図である。
【図１０】プリント基板５０を示す斜視図である。
【図１１】プリント基板５０に類似するプリント基板５０Ａを示す正面図である。
【図１２】プリント基板５０Ａを示す斜視図である。
【図１３】プリント基板５０およびこれに類似するプリント基板５０Ａを分解して示す斜視図である。
【図１４】本発明の実施のさらに他の形態の実装構造に用いることができる本体ボード７０を示す図である。
【図１５】本体ボード７０に取付けられる取付パネル７１を示す図である。
【図１６】従来の技術のプリント基板の実装構造に実装されるプリント基板を示す正面図である。
【図１７】本体ボード１における入出力コネクタ３ａ〜３ｅの配置を説明するための図である。
【図１８】カラー画像の画像信号入力用のコネクタおよび白黒画像の画像信号入力用のコネクタを示す正面図である。
【符号の説明】
１０，１０Ａ，５０，５０Ａ  プリント基板
１１，７０  本体ボード
１２，１２Ａ，５２，５２Ａ  コネクタボード
１３ａ〜１３ｉ，３３，５３ａ〜５３ｆ，６１ａ〜６１ｄ  入出力コネクタ
１４ａ，１４ｂ  接続コネクタ
１５ａ，１５ｂ  バックボード用コネクタ
１６，１６Ａ，５６，５６Ａ  取付パネル
１７  一側部
１９ａ，１９ｂ  取付金具
【図１】
0003541164.tif 000002
【図２】
0003541164.tif 000003
【図３】
0003541164.tif 000004
【図４】
0003541164.tif 000005
【図５】
0003541164.tif 000006
【図６】
0003541164.tif 000007
【図７】
0003541164.tif 000008
【図８】
0003541164.tif 000009
【図９】
0003541164.tif 000010
【図１０】
0003541164.tif 000011
【図１１】
0003541164.tif 000012
【図１２】
0003541164.tif 000013
【図１３】
0003541164.tif 000014
【図１４】
0003541164.tif 000015
【図１５】
0003541164.tif 000016
【図１６】
0003541164.tif 000017
【図１７】
0003541164.tif 000018
【図１８】
0003541164.tif 000019